(57)【要約】  他の液晶モニター装置（２〜９）から送信される温度データを受信する温度データ受信部（１１１）と、自身の液晶モニター装置（１）近傍の温度を検出する温度検出部（１１）と、温度データ受信部（１１１）によって受信した温度データと、温度検出部（１１）によって検出された検出温度とに基づいて、目標となる温度である目標温度を決定する目標温度決定部（１１２）と、目標温度決定部（１１２）によって決定された目標温度を他の液晶モニター装置（２〜９）に送信する目標温度送信部（１１１）と、目標温度決定部（１１２）によって決定された目標温度と温度検出部（１１）によって検出された検出温度との相関に応じた色温度制御データを色温度記憶部（１１３）を参照して読み出し、読み出した色温度制御データに従って自身の液晶モニター装置の色温度を制御する。
2010122633.tif 000002
【特許請求の範囲】
【請求項１】
マルチ設置される液晶モニター装置のうち、他の液晶モニター装置から送信される当該他の液晶モニター装置近傍の温度を表す温度データを受信する温度データ受信部と、
自身の液晶モニター装置近傍の温度を検出する温度検出部と、
前記温度データ受信部によって受信した温度データと、前記温度検出部によって検出された検出温度とに基づいて、目標となる温度である目標温度を決定する目標温度決定部と、
前記目標温度決定部によって決定された目標温度を前記他の液晶モニター装置に送信する目標温度送信部と、
目標温度と検出された温度との相関と、表示する色温度に応じた色温度制御データと、を対応付けて記憶する色温度記憶部と、
前記目標温度決定部によって決定された目標温度と前記温度検出部によって検出された検出温度との相関に応じた色温度制御データを前記色温度記憶部を参照して読み出し、読み出した色温度制御データに従って前記自身の液晶モニター装置の色温度を制御する制御部と
を有することを特徴とする液晶モニター装置。
【請求項２】
前記目標温度と前記温度データ受信部が受信した温度データが表す温度との相関に応じた色温度制御データを前記色温度記憶部を参照して読み出し、読み出した色温度制御データを、前記温度データの送信元である前記他の液晶モニター装置に送信する色温度制御データ送信部と、
を有することを特徴とする請求項１記載の液晶モニター装置。
【請求項３】
目標温度と検出された温度との相関と、液晶モニター装置の液晶パネルを照明する照明装置の明るさを示す輝度制御データと、を対応付けて記憶する輝度記憶部とを有し、
前記制御部は、前記目標温度決定部によって決定された目標温度と前記温度検出部によって検出された検出温度との差に応じた輝度制御データを前記輝度記憶部から読み出し、読み出した輝度制御データに従って前記自身の液晶モニター装置の色温度を制御する
ことを特徴とする請求項１の液晶モニター装置。
【請求項４】
前記目標温度と前記温度データ受信部が受信した温度データが表す温度との相関に応じた輝度制御データを前記輝度記憶部を参照して読み出し、読み出した輝度制御データを、前記温度データの送信元である前記他の液晶モニター装置に送信する輝度制御データ送信部と、
を有することを特徴とする請求項３記載の液晶モニター装置。
【請求項５】
マルチ設置されるスレーブ液晶モニター装置に接続されるマスター液晶モニター装置は、
スレーブ液晶モニター装置から送信される当該スレーブ液晶モニター装置近傍の温度を表す温度データを受信する温度データ受信部と、
前記マスター液晶モニター装置近傍の温度を検出する温度検出部と、
前記温度データ受信部によって受信した温度データと、前記温度検出部によって検出された検出温度とに基づいて、目標となる温度である目標温度を決定する目標温度決定部と、
前記目標温度決定部によって決定された目標温度を前記スレーブ液晶モニター装置に送信する送信部と、
目標温度と検出された温度との相関と、表示する色温度に応じた色温度制御データと、を対応付けて記憶する第１の色温度記憶部と、
前記目標温度決定部によって決定された目標温度と前記温度検出部によって検出された検出温度との相関に応じた色温度制御データを前記第１の色温度記憶部を参照して読み出し、読み出した色温度制御データに従って前記マスター液晶モニター装置の色温度を制御する第１の制御部とを有し、
前記スレーブ液晶モニター装置は、
前記マスター液晶モニター装置から送信される目標温度を受信する目標温度受信部と、
自身のスレーブ液晶モニター装置近傍の温度を検出する温度検出部と、
目標温度と検出された温度との相関と、表示する色温度に応じた色温度制御データと、を対応付けて記憶する第２の色温度記憶部と、
前記目標温度受信部によって受信した目標温度と前記温度検出部によって検出された検出温度との相関に応じた色温度制御データを前記第２の色温度記憶部を参照して読み出し、読み出した色温度制御データに従って自身のスレーブ液晶モニター装置の色温度を制御する第２の制御部とを有する
ことを特徴とする液晶モニターシステム。
【請求項６】
マルチ設置される液晶モニター装置のうち、他の液晶モニター装置から送信される当該他の液晶モニター装置近傍の温度を表す温度データを受信し、
自身の液晶モニター装置近傍の温度を検出し、
前記受信した温度データと、前記検出された検出温度とに基づいて、目標となる温度である目標温度を決定し、
前記決定された目標温度を前記他の液晶モニター装置に送信し、
前記決定された目標温度と前記検出された検出温度との相関に応じた色温度制御データを、目標温度と検出された温度との相関と表示する色温度に応じた色温度制御データとを対応付けて記憶する色温度記憶部を参照して読み出し、読み出した色温度制御データに従って前記自身の液晶モニター装置の色温度を制御する
ことを特徴とする液晶モニター装置の制御方法。
【発明の詳細な説明】
【技術分野】
【０００１】
本発明は、複数のモニター装置を設置してマルチ表示する表示システムにおける液晶モニター装置、液晶モニターシステム、液晶モニター装置の制御方法に関する。
【背景技術】
【０００２】
LCD（Liquid Crystal Display）パネルは、１台のモニターとして利用されているが、コンピュータに２台以上接続してマルチ表示を行う場合にも利用されている。このようなLCDパネルは、同じ機種であっても、ここの性能には多少のバラツキがあったり、利用されている環境によっては、色温度等に差が生じる場合がある。したがって、マルチ表示を行う表示形態、例えば、縦方向に３列、横方向に３列の３×３の9面マルチ等を行う場合においても、各モニター間において、輝度差や色温度の差がすくなくなるように表示することが求められる。
例えば、下記の特許文献１では、複数のモニターのうち、１台のモニターが他のモニターの色温度データを管理することによって、各モニターが同じ色温度になるように制御が行われている。
【先行技術文献】
【特許文献】
【０００３】
【特許文献１】特開２００１−３２４９７１号公報
【発明の概要】
【発明が解決しようとする課題】
【０００４】
しかしながら、LCDパネルは、周囲温度に応じて輝度や色温度が変化する温度依存性を有しているため、パネル周囲温度は、コールドスタート時と温度飽和時とでは温度差が生じる。そして、この温度差が生じることによって、LCDパネルに、輝度レベルの変化や色温度の変移が現れる。特に、LCDパネルをマルチ設置した場合には、下列のモニターよりも上列のモニターの周囲温度が高くなるため、その使用環境の差に応じてパネル間において輝度差や色温度差が生じてしまう。また、設置環境の空調やその他の熱源体との距離によっても、マルチ設置されたモニター間の輝度差や色温度差を誘起する温度変化が発生してしまう。従って、設置前に各モニタ−の輝度レベルや色温度を調整したとしても、実際の使用環境においては、モニター間において、差が生じてしまう。
一方、上述の特許文献１においては、モニター間において色温度を制御するものであるが、各モニターの周囲の温度など、使用環境が異なる場合には、色温度の差を低減することができない。さらには、モニター間において輝度を均一にするものではない。
このように、モニター自身および外的要因にて各モニターの周囲温度は異なるため、輝度レベルや色温度を均一にすることができなかった。【０００５】
本発明は、上記の事情を考慮してなされたものであり、複数のモニター間において色温度や輝度を合わせるようにすることができる液晶モニター装置、液晶モニターシステム、液晶モニター装置の制御方法を提供することを目的とする。
【課題を解決するための手段】
【０００６】
上記課題を解決するため、本発明は、マルチ設置される液晶モニター装置のうち、他の液晶モニター装置から送信される当該他の液晶モニター装置近傍の温度を表す温度データを受信する温度データ受信部と、自身の液晶モニター装置近傍の温度を検出する温度検出部と、前記温度データ受信部によって受信した温度データと、前記温度検出部によって検出された検出温度とに基づいて、目標となる温度である目標温度を決定する目標温度決定部と、前記目標温度決定部によって決定された目標温度を前記他の液晶モニターに送信する目標温度送信部と、目標温度と検出された温度との相関と、表示する色温度に応じた色温度制御データと、を対応付けて記憶する色温度記憶部と、前記目標温度決定部によって決定された目標温度と前記温度検出部によって検出された検出温度との相関に応じた色温度制御データを前記色温度記憶部を参照して読み出し、読み出した色温度制御データに従って前記自身の液晶モニター装置の色温度を制御する制御部とを有することを特徴とする。
【発明の効果】
【０００７】
本発明によれば、個々のモニターの近傍の温度が異なっていても、共通の目標温度を元に色温度を制御することができるので、個々のモニターの近傍の温度が異なっていても、マルチ設置時における環境周囲温度の違いによるセット間の色温度差を低減することができる。
【図面の簡単な説明】
【０００８】
【図１】マルチ設置モニターシステムの構成を表す概略ブロック図である。
【図２】マスターモニター１の動作を説明するフローチャートである。
【発明を実施するための形態】
【０００９】
以下、本発明について図面を用いて説明する。図１は、マルチ設置モニターシステムの構成を表す概略ブロック図である。
この図において、マスターモニター１は、スレーブとなる複数のスレーブモニターに接続される。この接続は、マスターモニター１に対してスレーブモニターがそれぞれ直列に接続される。このマルチ設置モニターシステムは、マスターモニター１とスレーブ液晶モニターとが、縦方向（垂直方向）に３列、横方向（水平方向）に３列配置され、３×３の９面のマルチ表示を行う。マスターモニター１と各スレーブモニターとは、RS-232C制御線またはLAN（有線または無線）にて接続され、後述する温度データ、輝度制御データ及び色温度制御データ等の各種データの送受信を行う。
【００１０】
マスターモニター１は、マルチ輝度／色温度制御部１０、温度センサー１１、バックライト１２、色温度制御部１３、輝度制御部１４、LCDパネル１５、入力処理部１６、画像処理部１７を含んで構成される。
【００１１】
マルチ輝度／色温度制御部１０は、通信部１１１と、温度データ処理部１１２と、ターゲット色温度演算部１１３と、ターゲット輝度演算部１１４とを含んで構成される。
通信部１１１は、他の液晶モニター装置である各スレーブモニター（スレーブモニター２〜９）から送信される当該スレーブモニター近傍の温度を表す温度データを受信する機能（温度データ受信部に相当）、温度データ処理部１１２によって決定された目標温度を各スレーブモニターに送信する機能（目標温度送信部に相当）を有する。
この通信部１１１は、スレーブモニターを識別する識別情報を温度データとともに受信する。これにより、どの温度データがどのスレーブモニターから送信されたかを識別することができる。また、通信部１１１は、目標温度をスレーブモニターに送信する場合、識別情報とともに目標温度を送信することにより、送信先のスレーブモニターを指定して送信することができる。
【００１２】
温度データ処理部１１２は、通信部１１１によって受信した温度データと、温度センサー１１によって検出された検出温度とに基づいて、目標となる温度である目標温度（以下、ターゲット温度ともいう）を決定する機能（目標温度決定部に相当）を有する。この目標温度の決定は、例えば、得られた温度データおよび検出温度のうち、最も高い温度、あるいは、最も低い温度を目標温度として決定する。また、目標温度の決定は、得られた温度のうち、平均値を算出し、算出された平均値を目標温度としてもよい。
【００１３】
ターゲット色温度演算部１１３は、目標温度と検出された温度との相関と、表示する色温度に応じた色温度制御データと、を対応付けて記憶する色温度記憶部を内部のメモリ領域に記憶しており、温度データ処理部１１２によって決定された目標温度と温度センサー１１によって検出された検出温度との相関に応じた色温度制御データを色温度記憶部を参照して読み出し、読み出した色温度制御データを色温度制御部１３に出力する。
また、ターゲット色温度演算部１１３は、目標温度と通信部１１１が受信した温度データが表す温度との相関に応じた色温度制御データを色温度記憶部を参照して読み出し、読み出した色温度制御データを、温度データの送信元であるスレーブモニターに通信部１１１によって送信する機能を有する。このターゲット色温度演算部１１３と通信部１１１との組み合わせが色温度制御データ送信部に相当する。
【００１４】
この色温度記憶部は、目標温度と検出された温度との組み合わせを複数記憶しているとともに、この組み合わせに対応させて、色温度制御データを記憶している。
【００１５】
ターゲット輝度演算部１１４は、目標温度と検出された温度との相関と、液晶モニター装置の液晶パネルを照明する照明装置（バックライト１２）の明るさを示す輝度制御データと、を対応付けて記憶する輝度記憶部とを有し、温度データ処理部１１２によって決定された目標温度と温度センサー１１によって検出された検出温度との差に応じた輝度制御データを輝度記憶部から読み出し、読み出した輝度制御データを輝度制御部１４に出力する。
また、ターゲット輝度演算部１１４は、目標温度と通信部１１１が受信した温度データが表す温度との相関に応じた輝度制御データを輝度記憶部を参照して読み出し、読み出した輝度制御データを、温度データの送信元であるスレーブモニターに通信部１１１によって送信する機能を有する。このターゲット輝度演算部１１４と通信部１１１との組み合わせが輝度制御データ送信部に相当する。
【００１６】
この輝度記憶部は、目標温度と検出された温度との組み合わせを複数記憶しているとともに、この組み合わせに対応させて、輝度制御データを記憶している。
【００１７】
温度センサー１１は、マスターモニター１の内部に設けられ、LCDパネル１５近傍の温度を検出し、検出結果をマルチ輝度／色温度制御部１０の温度データ処理部１１２に出力する。
バックライト１２は、LCDパネル１５を照明する。
色温度制御部１３は、ターゲット色温度演算部１１３から出力される色温度制御データに従って自身の液晶モニター（LCDパネル１５）の色温度を制御する。
輝度制御部１４は、ターゲット輝度演算部１１４から出力される輝度制御データに従ってバックライト１２の明るさを制御する。
LCDパネル１５は、マスターモニター１の外部に接続されるコンピュータから入力され画像処理部１７、色温度制御部１３を介して入力される画像信号に従って画像を表示する。
入力処理部１６は、外部に接続されるコンピュータから画像信号を受信し、画像処理部１７に出力する。画像処理部１７は、入力処理部１６から入力される画像信号に画像処理を行って画像データを生成し、LCDパネル１５に表示させる。ここでは、画像処理部１７が生成した画像データをLCDパネル１５に表示する際に、色温度制御部１３によって、色温度の制御が行われる。
【００１８】
なお、上述のターゲット色温度演算部１１３と色温度演算部１１３との組み合わせ、ターゲット輝度演算部１１４と輝度制御部１４との組み合わせが、それぞれ制御部に相当する。
【００１９】
次に、スレーブモニターについて説明する。スレーブモニター２〜９は、同様の構成を有しているため、スレーブモニター２について説明を行い、他のスレーブモニター３〜９の構成についてその説明を省略する。
スレーブモニター２は、通信部２１と温度センサー２２とを含んで構成される。
【００２０】
通信部２１は、マスターモニター１から送信される目標温度と識別情報とを受信し、自身に割り当てられた識別情報であれば、自身に取り込み、自身に割り当てられた識別情報でない場合には、後段のスレーブモニターに目標温度とともに送信する機能（目標温度受信部に相当）を有する。また、通信部２１は、温度センサー２２によって検出された温度データを自身に割り当てられた識別情報とともに、マスターモニター１に送信する。
【００２１】
温度センサー２２は、自身のスレーブモニターに設けられたLCDパネル近傍の温度を検出する（温度検出部に相当）。
また、スレーブモニター２は、目標温度と検出された温度との相関と、表示する色温度に応じた色温度制御データと、を対応付けて記憶する色温度記憶部を有しており、通信部２１によって受信した目標温度と温度センサー２２によって検出された検出温度との相関に応じた色温度制御データを自身に設けられた色温度記憶部を参照して読み出し、読み出した色温度制御データに従って、マスター液晶モニターの色温度を制御する制御部とを有する。
またスレーブモニター２は、マスターモニター１から出力される画像信号を受信し、自身に設けられるLCDパネルに画像を表示する。
【００２２】
次に、上述した構成におけるマルチ設置モニターシステムの動作について説明する。図２は、マスターモニター１の動作を説明するフローチャートである。
まず、マスターモニター１の温度データ処理部１１２は、各スレーブモニター２〜９に対して温度データの送信を要求する。各スレーブモニター２〜９は、マスターモニター１からの要求に応じて、自身に設けられた温度センサーによって自身のLCDパネル近傍の温度を検出し、検出結果である温度データをマスターモニター１に送信する。
【００２３】
マスターモニター１は、各スレーブモニター２〜９から送信される温度データを受信するとともに、自身に設けられた温度センサー１１の検出結果を得る（ステップＳ１０）。
温度データ処理部１１２は、受信した温度データと温度センサー１１からの検出結果を読み込み（ステップＳ１１）、ターゲット温度（目標温度）を決定する（ステップＳ１２）。ターゲット温度が決定されると、温度データ処理部１１２は、通信部１１１によって、各スレーブモニター２〜９を宛先としてターゲット温度を送信する（ステップＳ１３）。ターゲット温度が決定されると、ターゲット色温度演算部１１３は、ターゲット温度と、温度センサー１１によって検出された温度との相関による色温度制御データを色温度特性から算出するとともに、ターゲット温度と、温度センサー１１によって検出された温度との相関による輝度制御データを輝度特性から算出する（ステップＳ１４）。
色温度制御データ、輝度制御データが算出されると、色温度演算部１１３は、画像処理部１７から出力される画像データを、算出された色温度制御データに従ってLCDパネル１５に表示させ、輝度制御部１４は、算出された輝度制御データに従った明るさになるように、バックライト１２を点灯させる（ステップＳ１５）。
【００２４】
一方、スレーブモニター２は、マスターモニター１からターゲット温度を受信すると、受信したターゲット温度と、自身に設けられた温度センサー２２から得られる温度との相関による色温度制御データを色温度特性から算出するとともに、ターゲット温度と、温度センサー２２によって検出された温度との相関による輝度制御データを輝度特性から算出する。色温度制御データ、輝度制御データが算出されると、スレーブモニター２は、マスターモニター１から送信される画像データを、算出された色温度制御データに従ってLCDパネルに表示させるとともに、算出された輝度制御データに従った明るさになるように、バックライトを点灯させる。
【００２５】
以上説明したように、上述の実施形態によれば、マスターモニターとそれを受信した各スレーブモニターは、自身に設けられたLCDパネルの現在の温度とターゲット温度との相関による色温度制御値を温度依存特性から算出し、任意のターゲット色温度になるよう色温度制御データを出力する事により、各モニターの色温度が均一になるよう制御する。
また同様に、マスターモニターとそれを受信した各スレーブモニターは、自身に設けられたLCDパネルの現在の温度とターゲット温度との相関による輝度レベル制御値を輝度特性から算出し、任意のターゲット輝度レベルになるようバックライト制御する事により、各モニターの輝度が均一になるよう制御する。
これにより、個々のモニターの近傍の温度が異なっていても、同じターゲット温度を元に色温度、輝度を制御することができる。そして、マルチ設置時における環境周囲温度の違いによるセット間の輝度差や色温度差が生じることなく、輝度と色温度が均一な表示形態を実現できる。また、コールドスタート時から温度飽和時までの時間差によって生じる各モニター間の輝度差や色温度差も、リアルタイム制御によって解消し、均一な表示形態を実現できる。
【００２６】
なお、以上説明した実施形態において、マスターモニター１は、ターゲット温度を決定するのみではなく、各スレーブモニター分の輝度および色温度の制御データも算出し、算出された輝度および色温度の制御データを各スレーブモニターに対して送信し、各スレーブモニターが、その受信した制御データに従って、自身のモニターの輝度と色温度が均一になるように制御しても良い。
【００２７】
次に、本発明の他の実施形態について説明する。この他の実施形態においては、マルチ表示を行う表示形態（例えば3×3の9面マルチ）において、均一な輝度レベルにする場合のターゲットを複数有し、ユーザからの指定を受け付け、その指定されたターゲットに従って制御するようにしてもよい。
【００２８】
例えば、最適化が選択された場合には、各モニターの測定した温度に応じて輝度特性から算出した各モニターの輝度レベルを比較し、輝度レベルがそれらの中間値になるよう各モニターを制御する。
【００２９】
また、消費電力／寿命優先が選択された場合には、一番低い輝度であるモニター（例えば右上に設置されたモニター）と同じ輝度レベルになるように、それ以外のモニターに対して輝度を下げる制御を行う。
輝度優先が選択された場合には、一番高い輝度であるモニター（例えば左下に設置されたモニター）と同じ輝度レベルになるよう、それ以外のモニターに対して輝度を上げる制御を行う。
【００３０】
同様に、色温度の制御においても、各モニターにおいて測定された温度に応じた温度依存性から算出した各モニターの色温度を比較し、それらの中間値になるよう各モニターを制御する。
また、ユーザによって入力される、ユーザが求める任意のターゲット値になるよう、温度依存性を考慮した各モニターの色温度制御を選択するようにしてもよい。
【００３１】
なお、以上説明した実施形態において、マルチ輝度／色温度制御部１０は、マスターモニター１の内部に設けられる場合について説明したが、外部に接続されるコンピュータに設けるようにしてもよい。
【産業上の利用可能性】
【００３２】
上述したマルチ設置モニターシステムは、マルチ設置を行う公共表示や広告表示として利用可能である。
【符号の説明】
【００３３】
１  マスターモニター
２、３、４、５，６、７、８、９  スレーブモニター
１０  マルチ輝度／色温度制御部
１１、２２、３２、４２、５２、６２、７２、８２、９２  温度センサー
１２  バックライト
１３  色温度制御
１４  輝度制御部
１５  LCDパネル
１６  入力処理部
１７  画像処理部
２１、３１、４１、５１、６１、７１、８１、９１、１１１  通信部
１１２  温度データ処理部
１１３  ターゲット色温度演算部
１１４  ターゲット輝度演算部
【図１】
2010122633.tif 000003
【図２】
2010122633.tif 000004
【国際調査報告】
2010122633.tif 000005
2010122633.tif 000006
2010122633.tif 000007
2010122633.tif 000008